(57)【要約】【課題】処理負担の増大を抑えつつ、ユーザへの誤ったエリア情報の表示を抑止することができる。【解決手段】携帯端末１０では、自端末がセルフモード状態である場合、自端末が基地局２０の圏外である場合、自端末がローミングアウト状態である場合、及び自端末が通信中である場合には、一律に表示部１０８に表示不能情報が表示される。したがって、ユーザへの誤ったエリア情報の表示を抑止できる。また、携帯端末１０では、表示不能情報の確度を考慮して、第１の状態判断部１０２及び第２の状態判断部１０３において、上述の順序で表示不能情報を表示するか否かの判断を行っている。したがって、表示不能情報の表示にあたっての処理負担の軽減が図られている。【選択図】図１
2008270900.tif 000002
【特許請求の範囲】
【請求項１】
特定の通信方式によるデータ通信に対応する携帯端末であって、
自端末が通信可能な状態か否かを判断する第１の状態判断手段と、
前記第１の状態判断手段によって自端末が通信可能であると判断した場合に、自端末のローミングアウト状態・通信状態を判断する第２の状態判断手段と、
前記第１の状態判断手段によって自端末が通信不可能な状態と判断された場合、又は前記第２の状態判断手段によって自端末がローミングアウト状態・通信状態であると判断された場合に、自端末の在圏する基地局によって報知される前記特定の通信方式のエリア情報を表示できない旨を示す表示不能情報を表示手段に表示する表示制御手段とを備えたことを特徴とする携帯端末。
【請求項２】
前記第１の状態判断手段は、セルフモード状態であるか否か、及び前記自端末が基地局の圏外であるか否かをこの順に判断することを特徴とする請求項１記載の携帯端末。
【請求項３】
前記第２の状態判断手段は、自端末がローミングアウト状態であるか否か、及び自端末が通信中であるか否かをこの順に判断することを特徴とする請求項１又は２記載の携帯端末。
【請求項４】
前記表示制御手段は、前記第１の状態判断手段によって判断された自端末の通信可否の状態、又は前記第２の状態判断手段によって判断された自端末のローミングアウト状態・通信状態を、前記表示不能情報と共に前記表示手段に表示することを特徴とする請求項１〜３のいずれか一項記載の携帯端末。
【請求項５】
前記特定の通信方式は、ＨＳＤＰＡであることを特徴とする請求項１〜４のいずれか一項記載の携帯端末。
【発明の詳細な説明】
【技術分野】
【０００１】
本発明は、特定の通信方式によるデータ通信に対応する携帯端末に関する。
【背景技術】
【０００２】
従来、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）に代表される高速データ通信を利用してパケット通信を行う携帯端末が知られている。このような携帯端末として、例えば特許文献１に記載の携帯端末がある。この従来の携帯端末は、当該端末の在圏セルがサービスエリア内であるか否かを示すエリア情報を受信する。そして、受信したエリア情報に基づいて、当該端末がＨＳＤＰＡを利用できるか否かを示すエリア情報をディスプレイに表示させる。
【特許文献１】特開２００６−１７３７７８号公報
【発明の開示】
【発明が解決しようとする課題】
【０００３】
ところで、上述したような携帯端末では、ユーザが高速データ通信のエリア情報の表示を希望した場合であっても、一定の環境下では、基地局からエリア情報を取得できない場合がある。また、携帯端末の通信状態によっては、取得したエリア情報と実際に携帯端末が高速データ通信を利用できるか否かが一致せずディスプレイに誤ったエリア情報が表示されてしまう場合も考えられる。一方、エリア情報を表示するにあたって複雑な判断を行うと、処理負担の増大が問題となる。
【０００４】
本発明は、上記課題の解決のためになされたものであり、処理負担の増大を抑えつつ、ユーザへの誤ったエリア情報の表示を抑止することができる携帯端末を提供することを目的とする。
【課題を解決するための手段】
【０００５】
上記課題の解決のため、特定の通信方式によるデータ通信に対応する携帯端末であって、
【０００６】
自端末が通信可能な状態か否かを判断する第１の状態判断手段と、第１の状態判断手段によって自端末が通信可能であると判断した場合に、自端末のローミングアウト状態・通信状態を判断する第２の状態判断手段と、第１の状態判断手段によって自端末が通信不可能な状態と判断された場合、又は第２の状態判断手段によって自端末がローミングアウト状態・通信状態であると判断された場合に、自端末の在圏する基地局によって報知される特定の通信方式のエリア情報を表示できない旨を示す表示不能情報を表示手段に表示する表示制御手段とを備えたことを特徴としている。
【０００７】
この携帯端末では、自端末が通信不可能であってエリア情報を取得できない場合や、自端末が通信状態であって、取得したエリア情報と実際に携帯端末が特定の通信方式を利用できるか否かが一致しないおそれがある場合には、一律に表示不能情報が表示される。したがって、ユーザへの誤ったエリア情報の表示を抑止することができる。また、自端末が通信不可能な場合は、エリア情報を基地局から受信できない場合であるのに対し、自端末が通信状態である場合には、エリア情報を基地局から受信すること自体はできるが、取得したエリア情報と実際に携帯端末が特定の通信方式を利用できるか否かが一致しないおそれがある場合である。この場合、表示不能情報の確度は、自端末が通信不可能である場合の方が、自端末が通信状態である場合に比べて高いと言える。したがって、第１の状態判断手段による判断を第２の状態判断手段よりも優先して行うことにより、表示不能情報の表示にあたっての処理負担も抑えられる。
【０００８】
また、第１の状態判断手段は、自端末がセルフモード状態であるか否か、及び自端末が基地局の圏外であるか否かをこの順に判断することが好ましい。自端末がセルフモード状態である場合、自端末の受信機がオフ状態となっており、エリア情報を基地局から受信することはできない。また、自端末が圏外である場合は、自端末から電波を発信すること自体は可能であるが、エリア情報を基地局から受信することはできない。この場合、表示不能情報の確度は、自端末がセルフモード状態である場合の方が、自端末が圏外である場合に比べて高いと言える。したがって、自端末がセルフモード状態であるか否かを先に判断することにより、表示不能情報の表示にあたっての処理負担をより軽減することが可能となる。
【０００９】
また、第２の状態判断手段は、自端末がローミングアウト状態であるか否か、及び自端末が通信中であるか否かをこの順に判断することが好ましい。自端末がローミングアウト状態である場合、ローミングアウト先の基地局が特定の通信方式に対応している場合には、エリア情報を基地局から受信することも可能であるが、特定の通信方式の利用が許可されていない場合がある。また、自端末が通信中である場合には、特定の通信方式を利用することはできるが、基地局から新たなエリア情報を受信できない。そのため、例えば通信中に自端末が隣接する基地局に移動すると、移動先の基地局では特定の通信方式を利用できないにもかかわらず、誤ったエリア情報が表示され続けるおそれがある。この場合、表示不能情報の確度は、自端末がローミングアウト状態である場合の方が、自端末が通信中である場合に比べて高いと言える。したがって、自端末がローミングアウト状態であるか否かを先に判断することにより、表示不能情報の表示にあたっての処理負担をより軽減することが可能となる。なお、ここでいうローミングアウト状態には、ローミング待ち受け状態やローミング通信状態も含まれる。
【００１０】
また、表示制御手段は、第１の状態判断手段によって判断された自端末の通信可否の状態、又は第２の状態判断手段によって判断された自端末のローミングアウト状態・通信状態を、表示不能情報と共に表示手段に表示することが好ましい。こうすると、表示不能情報が表示された原因をユーザ側で容易に把握できる。
【００１１】
また、特定の通信方式は、ＨＳＤＰＡであることが好ましい。この場合、パケット通信に有用なＨＳＤＰＡによる通信において、処理負担の増大を抑えつつ、ユーザへの誤ったエリア情報の表示を抑止することができる。
【発明の効果】
【００１２】
本発明に係る携帯端末によれば、処理負担の増大を抑えつつ、ユーザへの誤ったエリア情報の表示を抑止することができる。
【発明を実施するための最良の形態】
【００１３】
以下、図面を参照しながら、本発明に係る携帯端末の好適な実施形態について詳細に説明する。
【００１４】
図１は、本発明の一実施形態に係る携帯端末の構成を示す図である。図１に示す携帯端末１０は、通常モードとは異なる高速データ通信に対応した携帯端末である。このような高速データ通信は、例えば変調方式の変更や、使用するチャネル数の増加によって実現されるものである。本実施形態における携帯端末１０は、高速データ通信の一つであるＨＳＤＰＡ（Ｈｉｇｈ  Ｓｐｅｅｄ  Ｄｏｗｎｌｉｎｋ  Ｐａｃｋｅｔ  Ａｃｃｅｓｓ）に対応している。携帯端末１０は、自端末が在圏する基地局２０を介して、ＨＳＤＰＡを提供する通信事業者によって管理されるネットワークＮと相互に通信可能に接続されている。
【００１５】
基地局２０は、ＨＳＤＰＡ対応基地局及びＨＳＤＰＡ非対応基地局の２つのタイプが存在する。ＨＳＤＰＡ対応基地局は、ＨＳＤＰＡを用いたパケット通信を可能とするための通信設備を備えたＨＳＤＰＡ対応の基地局である。ＨＳＤＰＡ非対応基地局は、例えば従来のＷ−ＣＤＭＡを用いたパケット通信を可能とするための設備を備えているが、ＨＳＤＰＡを用いたパケット通信を可能とするための通信設備を備えていない基地局である。この基地局２０は、ＨＳＤＰＡの利用可能エリアである旨を示すエリア情報を、在圏する携帯端末に向けて送信する。
【００１６】
携帯端末１０は、例えばユーザが所有する携帯電話機である。携帯端末１０は、図２に示すように、物理的な構成要素として、ＣＰＵ１１といった演算装置と、ＲＡＭ１２、ＲＯＭ１３といった記憶装置と、プッシュボタン等の操作部１４と、ネットワークカードといった通信モジュール１５と、液晶パネルディスプレイといった表示部１０８とを備えている。後述する携帯端末１０の各機能は、同図に示すＣＰＵ１１、ＲＡＭ１２等のハードウェア上に所定のコンピュータソフトウェアを読み込ませることにより、ＣＰＵ１１の制御下で通信モジュール１５、操作部１４、及び表示部１０８を動作させ、ＲＡＭ１２等のデータの読み出し及び書き込みを行うことで実現される。
【００１７】
携帯端末１０は、図１に示すように、機能的な構成要素として、第１の状態判断部（第１の判断手段）１０２と、第２の状態判断部（第２の判断手段）１０３と、状態管理部１０４と、エリア情報受信部１０６と、表示制御部（表示制御手段）１０７とを備えている。
【００１８】
第１の状態判断部１０２は、自端末が通信可能な状態か否かを判断する部分である。より具体的には、第１の状態判断部１０２は、状態管理部１０４を参照し、まず、携帯端末１０がセルフモード状態であるか否かについて判断する。セルフモードとは、マナーモードやドライブモードなどのように、ユーザの操作によって切り替え可能なモードの一つであり、カメラ機能や内蔵ゲームなど電波の送受信を行わずに動作する機能のみを利用するためのモードである。
【００１９】
携帯端末１０がセルフモード状態である場合、自端末の受信機がオフ状態となっている。したがって、携帯端末１０は、基地局２０からエリア情報を受信することができない状態となっている。第１の状態判断部１０２は、携帯端末１０がセルフモード状態であると判断した場合には、その旨を示す状態情報を生成して表示制御部１０７に出力する。
【００２０】
また、第１の状態判断部１０２は、携帯端末１０がセルフモード状態でないと判断した場合には、状態管理部１０４を再度参照し、携帯端末１０が基地局２０の圏外であるか否かについて判断する。携帯端末１０が基地局２０の圏外である場合、携帯端末１０は、基地局２０からエリア情報を受信することができない状態となっている。第１の状態判断部１０２は、携帯端末１０が圏外であると判断した場合には、その旨を示す状態情報を生成して表示制御部１０７に出力する。一方、第１の状態判断部１０２は、携帯端末１０が圏外でないと判断した場合には、後続の判断の開始を指示する指示情報を第２の状態判断部１０３に出力する。
【００２１】
第２の状態判断部１０３は、自端末が通信状態であるか否かを判断する部分である。より具体的には、第２の状態判断部１０３は、第１の状態判断部１０２から指示情報を受け取ると、状態管理部１０４を参照し、まず、携帯端末１０がローミングアウト状態であるか否かについて判断する。より具体的には、第２の状態判断部１０３は、携帯端末１０がローミング待受状態であるか否か、及び携帯端末１０がローミング通信状態であるか否かを判断する。
【００２２】
携帯端末１０がローミングアウト状態である場合には、ローミングアウト先の基地局２０がＨＳＤＰＡに対応している場合には、エリア情報を基地局２０から受信することも可能である。しかしながら、このようなローミングアウト状態においては、ネットワークＮ以外の他の通信網を用いた通信を行うので、ＨＳＤＰＡの利用が事業者によって許可されていない可能性がある。したがって、基地局２０からエリア情報を取得した場合であっても、実際にＨＳＤＰＡを利用することができず、ユーザに誤ったエリア情報が表示されてしまう場合がある。第２の状態判断部１０３は、携帯端末１０がローミングアウト状態である場合には、その旨を示す状態情報を生成して表示制御部１０７に出力する。
【００２３】
また、第２の状態判断部１０３は、携帯端末１０がローミングアウト状態でないと判断した場合には、状態管理部１０４を再度参照し、携帯端末１０が通信中であるか否かについて判断する。ここでいう通信中とは、ＣＳ呼／ＰＳ呼のいずれも含むものとする。携帯端末１０が通信中である場合、ＨＳＤＰＡを利用することはできるが、基地局から新たなエリア情報を受信してエリア情報を更新することができない。そのため、例えば通信中に携帯端末１０が隣接する基地局に移動すると、移動先の基地局ではＨＳＤＰＡを利用できないにもかかわらず、誤ったエリア情報が表示され続ける場合がある。第２の状態判断部１０３は、携帯端末１０が通信中であると判断した場合には、その旨を示す状態情報を生成して表示制御部１０７に出力する。
【００２４】
状態管理部１０４は、携帯端末１０が、通信可能な状態か否か、及び通信状態であるか否かの情報を集約した状態テーブルを管理する部分である。図３に、状態テーブルの一例を示す。図３に示す例では、設定モード「セルフモード」、電波状態「圏外」、ローミングアウト状態「非ローミングアウト」、及び通信状態「非通信中」の各状態が格納されている。
【００２５】
エリア情報受信部１０６は、基地局２０からエリア情報を受信する部分である。エリア情報受信部１０６は、基地局２０から送信されるエリア情報を受信して、表示制御部１０７に出力する。なお、エリア情報受信部１０６は、携帯端末１０が在圏している基地局２０がＨＳＤＰＡ非対応の基地局である場合には、エリア情報を受信できない。
【００２６】
表示制御部１０７は、表示部１０８に表示する文字・画像等の制御を行う部分である。表示制御部１０７は、図４（ａ）に示すように、エリア情報の受信の有無に基づいて、表示部１０８の上部にアンテナマークＭ１を表示させる。アンテナマークＭ１では、中央のアンテナ画像の右側に表示された３本の縦棒が、一般的な携帯端末と同様の電波状態を表している。
【００２７】
表示制御部１０７は、エリア情報受信部１０６からエリア情報を受け取った場合には、アンテナ画像の左側に２本の縦棒を更に表示し、ユーザに対して携帯端末１０がＨＳＤＰＡエリア圏内に位置していることを通知する。一方、表示制御部１０７は、エリア情報受信部１０６からエリア情報を受け取っていない場合には、アンテナ画像の左側には縦棒を表示せず、ユーザに対して携帯端末１０がＨＳＤＰＡエリア圏外に位置していることを通知する。
【００２８】
一方、表示制御部１０７は、第１の状態判断部１０２から自端末がセルフモードである旨又は圏外である旨の状態情報を受け取った場合には、アンテナマークＭ１を表示させる代わりに、アンテナマークＭ１の表示位置に例えば「ＳＥＬＦ」「圏外」と表示させる。また、表示制御部１０７は、第２の状態判断部１０３から自端末がローミングアウト状態又は通信中である旨の状態情報を受け取った場合には、アンテナ画像の左側には縦棒を表示せず、例えば図４（ｂ）に示すように、状態情報に基づいて、表示部１０８の中央部分にメッセージボックスＭ２を表示させる。メッセージボックスＭ２には、エリア情報を表示できない旨を示す表示不能情報が表示される。
【００２９】
また、表示制御部１０７は、エリア情報を表示できない理由、すなわち、第１の状態判断部１０２によって判断された自端末の状態情報、又は第２の状態判断部１０３によって判断された自端末の状態情報をメッセージボックスＭ２に併記する。図４（ｂ）の例では、「現在ローミングアウト状態のため、ＨＳＤＰＡエリア表示できません」といったメッセージが表示されている。
【００３０】
続いて、上述した携帯端末１０の動作について、図５に示すフローチャートを参照しながら説明する。
【００３１】
携帯端末１０では、通常、在圏する基地局２０からエリア情報をエリア情報受信部１０６で受信し、その情報をアンテナマークＭ１（図４（ａ）参照）として表示部１０８に表示させる。この表示制御処理にあたっては、以下の処理が行われる。
【００３２】
この表示制御処理では、まず、第１の状態判断部１０２において、携帯端末１０がセルフモード状態であるか否かについて判断される（ステップＳ０１）。このステップＳ０１において、携帯端末１０がセルフモード状態であると判断された場合、第１の状態判断部１０２から表示制御部に状態情報が出力され、表示不能情報と、携帯端末１０がセルフモード状態である旨とが表示部１０８に表示される（ステップＳ０６）。一方、ステップＳ０１において、携帯端末１０がセルフモード状態でないと判断された場合、第１の状態判断部１０２において、携帯端末１０が基地局２０の圏外であるか否かが更に判断される（ステップＳ０２）。
【００３３】
ステップＳ０２において、携帯端末１０が基地局２０の圏外であると判断された場合、第１の状態判断部１０２から表示制御部に状態情報が出力され、表示不能情報と、携帯端末１０が基地局２０の圏外である旨とが表示部１０８に表示される（ステップＳ０６）。一方、ステップＳ０２において、携帯端末１０が基地局２０の圏外でないと判断された場合、次に、第２の状態判断部１０３において、携帯端末１０がローミングアウト状態であるか否かについて判断される（ステップＳ０３）。
【００３４】
ステップＳ０３において、携帯端末１０がローミングアウト状態であると判断された場合、第２の状態判断部１０３から表示制御部に状態情報が出力され、表示不能情報と、携帯端末１０がローミングアウト状態である旨とが表示部１０８に表示される（ステップＳ０６）。一方、ステップＳ０３において、携帯端末１０がローミングアウト状態でないと判断された場合、第２の状態判断部１０３において、携帯端末１０が通信中であるか否かが更に判断される（ステップＳ０４）。
【００３５】
ステップＳ０４において、携帯端末１０が通信中であると判断された場合、第２の状態判断部１０３から表示制御部に状態情報が出力され、表示不能情報と、携帯端末１０が通信中である旨とが表示部１０８に表示される（ステップＳ０６）。一方、ステップＳ０４において、携帯端末１０が通信中でないと判断された場合、エリア情報受信部１０６から表示制御部１０７にエリア情報が出力され、表示部１０８にエリア情報が表示される（ステップＳ０５）。
【００３６】
表示制御部１０７は、エリア情報受信部１０６からエリア情報を受け取った場合には、アンテナ画像の左側に２本の縦棒を更に表示し、ユーザに対して携帯端末１０がＨＳＤＰＡエリア圏内に位置していることを通知する。一方、表示制御部１０７は、エリア情報受信部１０６からエリア情報を受け取っていない場合には、アンテナ画像の左側には縦棒を表示せず、ユーザに対して携帯端末１０がＨＳＤＰＡエリア圏外に位置していることを通知する。
【００３７】
以上説明したように、携帯端末１０では、自端末がセルフモード状態である場合、自端末が基地局２０の圏外である場合、自端末がローミングアウト状態である場合、及び自端末が通信中である場合には、一律に表示部１０８に表示不能情報が表示される。したがって、ユーザへの誤ったエリア情報の表示を抑止できる。また、表示不能情報の表示部１０８への表示の際には、エリア情報を表示できない理由が表示不能情報と共に併記される。したがって、表示不能情報が表示された原因をユーザ側で容易に把握できる。
【００３８】
また、携帯端末１０では、第１の状態判断部１０２は、自端末がセルフモード状態であるか否か、及び自端末が基地局２０の圏外であるか否かをこの順に判断する。自端末がセルフモード状態である場合、自端末の受信機がオフ状態となっており、エリア情報を基地局２０から受信することはできない。また、自端末が圏外である場合は、電波を発信すること自体は可能であるが、エリア情報を基地局２０から受信することはできない。この場合、表示不能情報の確度は、自端末がセルフモード状態である場合の方が、自端末が圏外である場合に比べて高いと言える。したがって、自端末がセルフモード状態であるか否かを先に判断することにより、表示不能情報の表示にあたっての処理負担の軽減が図られる。
【００３９】
さらに、第２の状態判断部１０３は、自端末がローミングアウト状態であるか否か、及び自端末が通信中であるか否かをこの順に判断する。自端末がローミングアウト状態である場合、ローミングアウト先の基地局２０がＨＳＤＰＡに対応している場合には、エリア情報を基地局２０から受信することも可能であるが、ＨＳＤＰＡの利用が許可されていない場合がある。
【００４０】
また、自端末が通信中である場合には、ＨＳＤＰＡを利用することはできるが、基地局２０から新たなエリア情報を受信してエリア情報を更新することができない。そのため、例えば通信中に自端末が隣接する基地局２０に移動すると、移動先の基地局２０ではＨＳＤＰＡを利用できないにもかかわらず、誤ったエリア情報が表示され続けるおそれがある。この場合、表示不能情報の確度は、自端末がローミングアウト状態である場合の方が、自端末が通信中である場合に比べて高いと言える。したがって、自端末がローミングアウト状態であるか否かを先に判断することにより、表示不能情報の表示にあたっての処理負担の軽減が一層図られる。
【００４１】
本発明は、上記実施形態に限られるものではない。例えば上述した実施形態では、携帯端末１０内で自動的に第１の状態判断部１０２及び第２の状態判断部１０３の判断を行うようにしているが、携帯端末１０にＨＳＤＰＡエリア確認ボタン（図示しない）を設け、ユーザがこのボタンを押下したことを契機として、第１の状態判断部１０２及び第２の状態判断部１０３による各判断を行うようにしてもよい。
【００４２】
また、上述した実施形態では、特定の通信方式としてＨＳＤＰＡを例示したが、上述した基地局２０が、Ｅ−ＤＣＨ（Ｅｎｈａｎｃｅｄ  Ｕｐｌｉｎｋ  Ｄｅｄｉｃａｔｅｄ  Ｃｈａｎｎｅｌ）対応の基地局である場合であっても、同様の処理を適用することができる。
【図面の簡単な説明】
【００４３】
【図１】本発明の一実施形態に係る携帯端末を示す図である。
【図２】図１に示した携帯端末のハードウェア構成を示す図である。
【図３】状態管理部に格納される状態テーブルの一例を示す図である。
【図４】（ａ）は、表示部に表示されるエリア情報の一例を示す図であり、（ｂ）は、表示部に表示される表示不能情報の一例を示す図である。
【図５】図１に示した携帯端末の動作を示すフローチャートである。
【符号の説明】
【００４４】
１０…携帯端末、２０…基地局、１０２…第１の状態判断部（第１の状態判断手段）、１０３…第２の状態判断部（第２の状態判断手段）、１０７…表示制御部（表示制御手段）、１０８…表示部（表示手段）。
【図１】
2008270900.tif 000003
【図２】
2008270900.tif 000004
【図３】
2008270900.tif 000005
【図４】
2008270900.tif 000006
【図５】
2008270900.tif 000007